(57)【要約】      （修正有）【課題】製造コストの問題や、操作にテクニックが要求される問題を回避することができ、かつ、大きく形態を変化させることができる変形玩具を提供する。【解決手段】表裏をひっくり返せるように弾性材料で形成された環状部材１１と、環状部材１１に取り付けられた複数の構成部材２１、２２と、を備え、複数の構成部材２１、２２は、環状部材１１の表面側または裏面側の少なくともいずれかに突出する突出部を備えるようにした。【選択図】図５
0003206727.tif 000002
【実用新案登録請求の範囲】
【請求項１】
表裏をひっくり返せるように弾性材料で形成された環状部材と、
前記環状部材に取り付けられた複数の構成部材と、
を備え、
前記複数の構成部材は、前記環状部材の表面側または裏面側の少なくともいずれかに突出する突出部を備えることを特徴とする、変形玩具。
【請求項２】
前記複数の構成部材は、前記環状部材の表面側と裏面側とで異なる形状の突出部を備えることを特徴とする、請求項１記載の変形玩具。
【請求項３】
前記環状部材は、前記複数の構成部材をそれぞれ取り付けるための複数の取付部を備え、これら複数の取付部の間には波状に屈折した屈折部が設けられていることを特徴とする、請求項１又は２記載の変形玩具。
【請求項４】
前記複数の構成部材は、前記複数の取付部の変形を抑制するように、前記複数の取付部を挟み込んで取り付けられていることを特徴とする、請求項３に記載の変形玩具。
【請求項５】
前記複数の構成部材は、互いに重なり合い可能に形成されていることを特徴とする、請求項１〜４のいずれか１項に記載の変形玩具。
【考案の詳細な説明】
【技術分野】
【０００１】
この考案は、形態を変化させることができる変形玩具に関する。
【背景技術】
【０００２】
従来、例えばロボットから車両に変形するような変形玩具が知られている。こうした変形玩具は、複雑に組み合わせられた可動式の複数のパーツから構成されたものが多い。この種の変形玩具の形態を変化させる場合には、特定の手順に従ってパーツを動かし、パーツの組み付け方を変える操作を行うようになっている（例えば特許文献１参照）。
【０００３】
その他の変形玩具として、例えば特許文献２には、柔軟性のある材料で人形を形成し、この人形をひっくり返すことで形態が変化するようにしたものが開示されている。
【先行技術文献】
【特許文献】
【０００４】
【特許文献１】意匠登録第１４２０９５８号
【特許文献２】特開昭４９−９３１３９号公報
【考案の概要】
【考案が解決しようとする課題】
【０００５】
しかし、上記した特許文献１記載のような複雑なパーツからなる変形玩具は、部品点数が増加して構造が複雑になるため、製造コストがかさむという問題があった。また、変形させるための手順が複雑であるため、操作にテクニックが必要であり、小さい子どもが遊べないといった問題があった。
【０００６】
この点、上記した特許文献２記載のような人形玩具は構造が単純であるので、製造コストの問題や、操作にテクニックが要求される問題は回避することができる。しかしながら、構造が単純であるために変化後の形態が予想できてしまい、形態変化自体の面白みに欠けるという問題があった。
【０００７】
そこで、本考案は、製造コストの問題や、操作にテクニックが要求される問題を回避することができ、かつ、大きく形態を変化させることができる変形玩具を提供することを課題とする。
【課題を解決するための手段】
【０００８】
本考案は、上記した課題を解決するためになされたものであり、以下を特徴とする。
【０００９】
請求項１記載の考案は、表裏をひっくり返せるように弾性材料で形成された環状部材と、前記環状部材に取り付けられた複数の構成部材と、を備え、前記複数の構成部材は、前記環状部材の表面側または裏面側の少なくともいずれかに突出する突出部を備えることを特徴とする。
【００１０】
請求項２に記載の考案は、前記複数の構成部材は、前記環状部材の表面側と裏面側とで異なる形状の突出部を備えることを特徴とする。
【００１１】
請求項３に記載の考案は、前記環状部材は、前記複数の構成部材をそれぞれ取り付けるための複数の取付部を備え、これら複数の取付部の間には波状に屈折した屈折部が設けられていることを特徴とする。
【００１２】
請求項４に記載の考案は、前記複数の構成部材は、前記複数の取付部の変形を抑制するように、前記複数の取付部を挟み込んで取り付けられていることを特徴とする。
【００１３】
請求項５に記載の考案は、前記複数の構成部材は、互いに重なり合い可能に形成されていることを特徴とする。
【考案の効果】
【００１４】
請求項１に記載の考案は上記の通りであり、表裏をひっくり返せるように弾性材料で形成された環状部材と、環状部材に取り付けられた複数の構成部材と、を備え、複数の構成部材は、環状部材の表面側または裏面側の少なくともいずれかに突出する突出部を備える。このような構成によれば、環状部材をひっくり返すことで、構成部材の突出部が内向きになったり外向きになったりするので、その外観上の変化によって形態を変化させることができる。
【００１５】
また、部品点数が増加することがなく、構造もシンプルにすることができるので、製造コストを抑制することができる。また、特定の手順に従ってパーツを動かすような操作をしなくても、ひっくり返すだけで形態が変化するので、操作に特別なテクニックが要求されない。よって、知識がない遊び手や、小さな子供であっても変形玩具で遊ぶことができる。
【００１６】
また、環状部材をひっくり返すことで、構成部材の内向きの突出部が一気に外側に突出するので、瞬間的に大きく形態が変化する。よって、変化後の形態が予想できず、意外性のある形態変化を実現することができる。
【００１７】
また、請求項２に記載の考案は上記の通りであり、複数の構成部材は、環状部材の表面側と裏面側とで異なる形状の突出部を備える。このような構成によれば、より大きく形態が変化するので、形態変化の面白みが増す。
【００１８】
また、請求項３に記載の考案は上記の通りであり、環状部材は、複数の構成部材をそれぞれ取り付けるための複数の取付部を備え、これら複数の取付部の間には波状に屈折した屈折部が設けられている。このような構成によれば、構成部材を取り付けた状態でも、屈折部を撓ませることで環状部材を容易にひっくり返すことができる。また、環状部材が屈折部において伸び縮みすることで、環状部材をひっくり返すときに無理な負荷がかからないので、環状部材の破損を防止することができる。
【００１９】
また、請求項４に記載の考案は上記の通りであり、複数の構成部材は、複数の取付部の変形を抑制するように、複数の取付部を挟み込んで取り付けられている。このような構成によれば、構成部材によって環状部材の変形を抑制できるので、変形玩具の形態を意図した形状に保つことができる。
【００２０】
また、請求項５に記載の考案は上記の通りであり、複数の構成部材は、互いに重なり合い可能に形成されている。このような構成によれば、重なり合った構成部材によって環状部材の存在が隠蔽されるので、形態変化の仕組みが露出しない。よって、形態変化の意外性を高めることができ、かつ、意匠性を高めることができる。
【図面の簡単な説明】
【００２１】
【図１】変形玩具がロボットの形態となった状態の外観図である。
【図２】変形玩具がロボットの形態から変形している途中の外観図である。
【図３】変形玩具が乗り物の形態となった状態の外観図である。
【図４】環状部材の外観図であって、（ａ）表面側が外側に向いた状態の図、（ｂ）裏面側が外側に向いた状態の図である。
【図５】環状部材に構成部材を取り付ける様子を示す図である。
【図６】頭部材が反転する様子を示す図であって、（ａ）表面側が外側に向いた状態の図、（ｂ）裏面側が外側に向いた状態の図である。
【図７】腕部材が反転する様子を示す図であって、（ａ）表面側が外側に向いた状態の図、（ｂ）裏面側が外側に向いた状態の図である。
【図８】脚部材が反転する様子を示す図であって、（ａ）表面側が外側に向いた状態の図、（ｂ）裏面側が外側に向いた状態の図である。
【考案を実施するための形態】
【００２２】
本考案の実施形態について、図を参照しつつ説明する。
本実施形態に係る変形玩具１０は、所定の操作によって形態が変化するものであり、第１の形態から第２の形態へと相互に変形可能に形成されている。本実施形態においては、第１の形態として図１に示すようなロボットの形態を取るようになっており、第２の形態として図３に示すような乗り物（飛行機）の形態を取るようになっている。
【００２３】
この変形玩具１０は、表裏をひっくり返せるように弾性材料で形成された環状部材１１と、この環状部材１１に取り付けられた複数の構成部材と、を備える。そして、図２に示すように、環状部材１１の表裏をひっくり返すことで、第１の形態から第２の形態へ、または、第２の形態から第１の形態へと変形可能となっている。
【００２４】
環状部材１１は、図４に示すように、帯状体が環状に繋がった部材であり、樹脂等の弾性材料で形成されている。この環状部材１１は、構成部材をそれぞれ取り付けるための複数の取付部１２を備えている。また、これら複数の取付部１２の間には波状に屈折した屈折部１３が設けられている。本実施形態においては、上下左右の４箇所に取付部１２を備えているため、構成部材の数も４つであり、屈折部１３の数も４つである。
【００２５】
なお、屈折部１３は、内外方向へとジグザグに形成されている。この屈折部１３は、構成部材が取り付けられず、図１に示すように露出している。
【００２６】
この環状部材１１のうち、一方を表面側１１ａ、他方を裏面側１１ｂとすると、図４（ａ）に示すように、表面側１１ａが外側にくるようにしたときには、変形玩具１０が第１の形態をとるようになっている。また、図４（ｂ）に示すように、裏面側１１ｂが外側にくるようにしたときには、変形玩具１０が第２の形態をとるようになっている。
【００２７】
この環状部材１１の取付部１２には、図５に示すように、取付部１２を覆うように構成部材が取り付けられている。構成部材は、環状部材１１よりも剛性の高い材料で形成されており、取付部１２を表裏の両側から挟み込むように取り付けられる。このように構成部材を取り付けることで、取付部１２の変形が抑制される。
【００２８】
すなわち、構成部材を取り付けていない状態で環状部材１１を裏返すと、図４に示すように、取付部１２が変形してしまう。図４に示す例では、表面側１１ａを外側にしたときには、裏面側１１ｂを外側にしたときよりも取付部１２が外側に湾曲して突出するようになっている。このように変形してしまう取付部１２に対して剛性を有する構成部材を取り付けることで、取付部１２の変形が抑制されている。
【００２９】
なお、これらの構成部材は、環状部材１１の表面側１１ａまたは裏面側１１ｂの少なくともいずれかに突出する突出部を備えており、これにより第１の形態または第２の形態の外観形状を形作っている。具体的には、本実施形態に係る変形玩具１０は、頭部材２０と、左腕部材２１と、右腕部材２２と、脚部材２３と、の４つの構成部材を備えており、これら４つの構成部材が環状部材１１の上下左右に取り付けられている。
【００３０】
頭部材２０は、図６に示すようなパーツであり、環状部材１１の表面側１１ａと裏面側１１ｂとで異なる形状の突出部を備えている。具体的には、環状部材１１の表面側１１ａには、ロボットの形態において頭部となる表側突出部２０ａが突出して形成されており、環状部材１１の裏面側１１ｂには、乗り物の形態において前端部となる裏側突出部２０ｂが突出して形成されている。
【００３１】
左腕部材２１及び右腕部材２２は、図７に示すようなパーツであり、環状部材１１の表面側１１ａと裏面側１１ｂとで異なる形状の突出部を備えている。具体的には、環状部材１１の表面側１１ａには、ロボットの形態において左腕及び右腕となる表側突出部２１ａ、２２ａが突出して形成されており、環状部材１１の裏面側１１ｂには、乗り物の形態において側部となる裏側突出部２１ｂ、２２ｂが突出して形成されている。
【００３２】
脚部材２３は、図８に示すようなパーツであり、環状部材１１の表面側１１ａと裏面側１１ｂとで異なる形状の突出部を備えている。具体的には、環状部材１１の表面側１１ａには、ロボットの形態において脚部となる表側突出部２３ａが突出して形成されており、環状部材１１の裏面側１１ｂには、乗り物の形態において後端部となる裏側突出部２３ｂが突出して形成されている。
【００３３】
このような変形玩具１０によれば、環状部材１１をひっくり返すことで、構成部材の突出部が内向きになったり外向きになったりするので、その外観上の変化によって形態を変化させることができる。
【００３４】
また、構成部材自体は可動しないので、部品点数が増加することがなく、構造もシンプルにすることができる。よって、製造コストを抑制することができる。また、特定の手順に従ってパーツを動かすような操作をしなくても、ひっくり返すだけで形態が変化するので、操作に特別なテクニックが要求されない。よって、知識がない遊び手や、小さな子供であっても変形玩具１０で遊ぶことができる。
【００３５】
また、環状部材１１をひっくり返すことで、構成部材の内向きの突出部が一気に外側に突出するので、瞬間的に大きく形態が変化する。よって、変化後の形態が予想できず、意外性のある形態変化を実現することができる。
【００３６】
また、環状部材１１は、複数の構成部材をそれぞれ取り付けるための複数の取付部１２を備え、これら複数の取付部１２の間には波状に屈折した屈折部１３が設けられているので、構成部材を取り付けた状態でも、屈折部１３を撓ませることで環状部材１１を容易にひっくり返すことができる。また、環状部材１１が屈折部１３において伸び縮みすることで、環状部材１１をひっくり返すときに無理な負荷がかからないので、環状部材１１の破損を防止することができる。
【００３７】
また、複数の構成部材は、複数の取付部１２の変形を抑制するように、複数の取付部１２を挟み込んで取り付けられている。このような構成によれば、構成部材によって環状部材１１の変形を抑制できるので、変形玩具１０の形態を意図した形状に保つことができる。
【００３８】
また、複数の構成部材は、互いに重なり合い可能に形成されている。すなわち、図１や図３に示すように、頭部材２０と左腕部材２１と右腕部材２２と脚部材２３とが、正面視で環状部材１１の内側において互いに重なり合っている。このように配置することで、中央に空洞が存在せず、環状部材１１の存在を使用者が意識することがない。よって、形態変化の仕組みが露出しないので、形態変化の意外性を高めることができ、また、意匠性を高めることができる。
【符号の説明】
【００３９】
１０  変形玩具
１１  環状部材
１１ａ  表面側
１１ｂ  裏面側
１２  取付部
１３  屈折部
２０  頭部材（構成部材）
２０ａ  表側突出部
２０ｂ  裏側突出部
２１  左腕部材（構成部材）
２１ａ  表側突出部
２１ｂ  裏側突出部
２２  右腕部材（構成部材）
２２ａ  表側突出部
２２ｂ  裏側突出部
２３  脚部材（構成部材）
２３ａ  表側突出部
２３ｂ  裏側突出部
【図１】
0003206727.tif 000003
【図２】
0003206727.tif 000004
【図３】
0003206727.tif 000005
【図４】
0003206727.tif 000006
【図５】
0003206727.tif 000007
【図６】
0003206727.tif 000008
【図７】
0003206727.tif 000009
【図８】
0003206727.tif 000010